(57)【要約】【課題】銀電解による銀イオンの生成効率を向上させ、銀電解に伴う消費電力を低減させる銀電解水吐水装置を提供する。【解決手段】本発明の銀電解水吐水装置１は、洗浄水が流れる主流路２４ａと、洗浄水が主流路から分流されこの分流後に主流路に戻るように流れる分流路２４ｂと、を備えた銀電解槽２４と、銀電解槽の分流路内に位置する接水側先端部４８ａ，４８ｂと、銀電解槽の外側に位置する端子側先端部４９ａ，４９ｂと、基端部４６ａ，４６ｂと、を備えた電極２８ａ，２８ｂと、電極を互いにほぼ平行に保持する電極保持ユニット３６と、を有し、電極保持ユニットは、銀電解槽を形成する正面側壁面３８に取り付けられる取付部４０と、電極の各々を基端部から接水側先端部まで保持する電極保持部４２と、電極の接水側先端部に対応する電極保持部の先端部同士の間隔を塞ぐように設けられ且つ電極保持部と共に管路５８を形成する塞ぎ部４４と、を備えている。【選択図】図４
2007160201.tif 000002
【特許請求の範囲】
【請求項１】
銀イオンを含む洗浄水を吐水する銀電解水吐水装置であって、
上記洗浄水が流れる主流路と、上記洗浄水が上記主流路から分流されこの分流後に上記主流路に戻るように流れる分流路と、を備えた電解槽と、
上記電解槽の分流路内に並置され且つ少なくとも陽極の電極が銀イオンを生成する銀電極である一組の平板状の電極であって、上記電解槽の分流路内に位置する接水側先端部と、上記電解槽の外側に位置する端子側先端部と、上記接水側先端部及び上記端子側先端部の各々に対する基端となる基端部と、を備えた上記電極と、
上記電極を互いにほぼ平行に保持する電極保持ユニットであって、上記電解槽を形成する壁面に取り付けられると共に上記電極の基端部を保持する取付部と、上記電極の各々を上記基端部から上記接水側先端部まで所定間隔を置いて保持するように上記取付部から突出する電極保持部と、上記電極の接水側先端部に対応する上記電極保持部の先端部同士の間隔を塞ぐように設けられ且つ上記電極保持部と共に管路を形成する塞ぎ部と、を備えた上記電極保持ユニットと、
上記電極に電力を供給する給電手段と、
を有することを特徴とする銀電解水吐水装置。
【請求項２】
上記電極保持ユニットの塞ぎ部は、上記電極保持部の先端部に一体的に形成されている請求項１記載の銀電解水吐水装置。
【請求項３】
上記電極保持ユニットの電極保持部は、その上記電極を保持している側の表面が上記電極の表面と面一となるように構成されている請求項１又は２に記載の銀電解水吐水装置。
【請求項４】
上記電極保持ユニットの取付部は、上記電極の基端部を取り囲むように形成され、これら電極の基端部の各々は、上記接水側先端部に向かって延びる接水側基端面と、上記端子側先端部に向かって延びる端子側基端面と、上記接水側基端面と上記端子側基端面との間に形成され且つこれら両面に対して折り曲げられた折り曲げ面と、を備えている請求項１記載の銀電解水吐水装置。
【請求項５】
上記電極の基端部の折り曲げ面は、上記端子側基端面同士の間隔が上記接水側基端面同士の間隔よりも大きくなるように上記接水側基端面と上記端子側基端面に対して折り曲げられている請求項４記載の銀電解水吐水装置。
【請求項６】
上記電極の基端部の端子側基端面又は接水側基端面は、これらと対向する上記電極保持ユニットの取付部に形成された突起に係合可能な孔部を備えている請求項４記載の銀電解水吐水装置。
【請求項７】
更に、上記電解槽の上流側に形成された給水路と、下流側に形成された排水路と、を有し、上記電解槽が上記給水路と上記排水路よりも外側に突出する凹部を備え、この凹部に上記一組の電極が配置され、上記電極の下端部に対応する上記電極保持ユニットの管路の下端部近傍には、上記電極間への洗浄水の流入を規制する洗浄水流入規制手段が配置されている請求項１記載の銀電解水吐水装置。
【請求項８】
上記洗浄水流入規制手段は、上記電解槽内に上記電極保持ユニットの下方の所定位置から上記管路の下端部近傍の位置まで所定の厚みで形成された厚み部によって構成されている請求項７記載の銀電解水吐水装置。
【請求項９】
上記洗浄水流入規制手段は、上記電極保持ユニットの取付部から上記管路の下端部近傍まで突出する突出部によって構成されている請求項７記載の銀電解水吐水装置。
【請求項１０】
上記給電手段は、上記電解槽に流入又は流出する洗浄水により発電する発電手段を含む請求項１記載の銀電解水吐水装置。
【発明の詳細な説明】
【技術分野】
【０００１】
本発明は、銀電解水吐水装置に係わり、特に、水洗便器等に銀イオンを含む洗浄水を吐水する銀電解水吐水装置に関する。
【背景技術】
【０００２】
従来から、例えば特許文献１に記載されているように、特に小便器等の水洗便器内に尿石が蓄積したり臭気が発生したりするのを防ぐために、便器の洗浄に使用される洗浄水に予め銀イオンを含ませて吐水する銀電解水吐水装置が知られている。このような従来の銀電解水吐水装置は、少なくとも陽極の電極が銀イオンを生成する銀電極である一組の電極が配置された電解槽と、洗浄水の水流を利用して電解槽の電極に供給される電力の一部を水力発電する発電装置を備えている。この発電装置の発電によって得られた電気エネルギーが電解槽の電極に供給されると、銀電解が行われて銀イオンを生成し、この電極間に洗浄水を通過させることにより、洗浄水に銀イオンを含有させるようになっている。また、この電解槽は、洗浄水が流れる主流路と、洗浄水が主流路から分流されこの分流後に主流路に戻るように流れる分流路を備えており、主流路に比べて洗浄水の流速が小さくなる分流路内に電極を配置することによって、電極間を通過する洗浄水に含有させる銀イオンの生成効率を高めると共に、銀電解に伴う消費電力を低減させている。
【０００３】
【特許文献１】国際公開第２００５／０９５２８１号パンフレット
【発明の開示】
【発明が解決しようとする課題】
【０００４】
しかしながら、上述した従来の銀電解水吐水装置では、電極への電力の供給を発電装置のみの自己発電によって達成するには、銀電解による銀イオンの生成効率をさらに高めなければならないが、銀電解に伴う電力の低消費化を完全に実現するには至っておらず、電極の消耗を十分に抑制することができないという問題がある。
また、従来の銀電解水吐水装置では、電解槽内に配置されている電極の端子側は電解槽の壁面を貫いて外側に突出しているが、銀電解に伴って電極が消耗して溶出するにつれてと、残りの電極が電解槽の壁面から脱落したり、電解槽の壁面の溶出した電極に相当する部分に隙間が生じ、電解槽内の水がこの隙間を経て外側へ漏水してしまうという問題もある。
【０００５】
そこで、本発明は、上述した従来技術の課題を解決するためになされたものであり、銀電解による銀イオンの生成効率を向上させ、銀電解に伴う消費電力を低減させる銀電解水吐水装置を提供することを目的としている。
また、本発明は、電極の消耗に伴う電解槽からの電極の脱落と漏水を防ぐ銀電解水吐水装置を提供することを目的としている。
【課題を解決するための手段】
【０００６】
上記の目的を達成するために、本発明は、銀イオンを含む洗浄水を吐水する銀電解水吐水装置であって、上記洗浄水が流れる主流路と、上記洗浄水が上記主流路から分流されこの分流後に上記主流路に戻るように流れる分流路と、を備えた電解槽と、上記電解槽の分流路内に並置され且つ少なくとも陽極の電極が銀イオンを生成する銀電極である一組の平板状の電極であって、上記電解槽の分流路内に位置する接水側先端部と、上記電解槽の外側に位置する端子側先端部と、上記接水側先端部及び上記端子側先端部の各々に対する基端となる基端部と、を備えた上記電極と、上記電極を互いにほぼ平行に保持する電極保持ユニットであって、上記電解槽を形成する壁面に取り付けられると共に上記電極の基端部を保持する取付部と、上記電極の各々を上記基端部から上記接水側先端部まで所定間隔を置いて保持するように上記取付部から突出する電極保持部と、上記電極の接水側先端部に対応する上記電極保持部の先端部同士の間隔を塞ぐように設けられ且つ上記電極保持部と共に管路を形成する塞ぎ部と、を備えた上記電極保持ユニットと、上記電極に電力を供給する給電手段と、を有することを特徴としている。
このように構成された本発明の銀電解水吐水装置においては、電解槽内の主流路を流れる洗浄水は、その一部が分流路に分流され、電極保持ユニットの電極保持部と塞ぎ部によって形成される管路内に流入し、電極保持部が保持する電極間を流れて再び主流路に戻る。このとき、管路内の電極間を流れる洗浄水は、その流速が主流路を流れる洗浄水の流速よりも小さくなり、また、管路の外部における水流の乱れの影響を受けにくくなる。さらに、両電極は、電極保持ユニットの電極保持部によって基端部から接水側先端部にかけてほぼ平行に保持されるため、管路内の電極間を通過する水流の乱れを抑制することができる。これらの結果、電極で生成された銀イオンが分流路内の水中に含まれる塩素イオンと反応して塩化銀が生成されるのが抑制され、銀イオンの状態のまま維持されるため、電極における銀イオンの生成効率を向上させることができる。さらに、所定量の銀イオンを得るのに、電極の消費電力が抑制されるため、電極の消耗を抑えることができる。
【０００７】
本発明において、電極保持ユニットの塞ぎ部は、電極保持部の先端部に一体的に形成されていることが好ましい。
このように構成された本発明の銀電解水吐水装置においては、電極保持ユニットの電極保持部と塞ぎ部によって形成される管路の内面を繋ぎ目のない連続した面に形成することができ、管路内の水流の乱れを抑制することができる。したがって、電極で生成された銀イオンが分流路内の水中に含まれる塩素イオンと反応して塩化銀が生成されるのが抑制され、銀イオンの状態のまま維持されるため、電極における銀イオンの生成効率を向上させることができる。さらに、所定量の銀イオンを得るのに、電極の消費電力が抑制されるため、電極の消耗を抑えることができる。
【０００８】
本発明において、電極保持ユニットの電極保持部は、その電極を保持している側の表面が電極の表面と面一となるように構成されていることが好ましい。
このように構成された本発明の銀電解水吐水装置においては、分流路内の水が電極の間に流入する際、電極保持ユニットの電極保持部における電極を保持している側の表面が助走区間として作用するため、分流路に位置する管路内の水は、一般的に主流路内の水流に比べて流速が小さくかつ乱れの少ない流れの状態で電極の間を通過する。また、電極の間には境界層が形成され、この境界層により、電極で生成された銀イオンが分流路内の水中に含まれる塩素イオンと反応して塩化銀が生成されるのが抑制され、銀イオンの状態のまま維持されるため、電極における銀イオンの生成効率を向上させることができる。さらに、所定量の銀イオンを得るのに、電極の消費電力が抑制されるため、電極の消耗を抑えることができる。
【０００９】
本発明において、電極保持ユニットの取付部は、上記電極の基端部を取り囲むように形成され、これら電極の基端部の各々は、接水側先端部に向かって延びる接水側基端面と、端子側先端部に向かって延びる端子側基端面と、接水側基端面と端子側基端面との間に形成され且つこれら両面に対して折り曲げられた折り曲げ面と、を備えていることが好ましい。
このように構成された本発明の銀電解水吐水装置においては、電極の基端部の折り曲げ面が電極の基端部の接水側基端面と端子側基端面に対して折り曲げられているため、電極が電気分解と共に消耗して電極の接水側先端部から基端部の接水側基端面にかけて消失が進んだとしても、電極の基端部の折り曲げ面で電極を保持することができ、電極保持ユニットから簡単に電極が抜け落ちてしまうのを防ぐことができ、電解槽内の水が電極の抜け落ちた隙間を通じで外部へ漏水するのを防ぐことができる。
【００１０】
本発明において、電極の基端部の折り曲げ面は、端子側基端面同士の間隔が接水側基端面同士の間隔よりも大きくなるように接水側基端面と端子側基端面に対して折り曲げられていることが好ましい。
このように構成された本発明の銀電解水吐水装置においては、端子側の電極間の距離を大きく設定し、接水側の電極間の距離を小さく設定することができるため、端子側の電極における端子接続の作業性を確保しながら、接水側の電極における銀イオンの生成効率を向上させることができる。
【００１１】
本発明において、電極の基端部の端子側基端面又は接水側基端面は、これらと対向する電極保持ユニットの取付部に形成された突起に係合可能な孔部を備えていることが好ましい。
このように構成された本発明の銀電解水吐水装置においては、電極を電極保持ユニットに位置決めする際、電極保持ユニットの取付部に形成された突起に電極の基端部の端子側基端面又は接水側基端面の孔部を係合させることによって、電極が互いに平行になるように正確に位置決めして保持することができ、電極間を通過する水流の乱れを抑制することができる。また、電極で生成された銀イオンが分流路内の水中に含まれる塩素イオンと反応して塩化銀が生成されるのが抑制されて銀イオンの状態のまま維持されるため、電極における銀イオンの生成効率を向上させることができる。
【００１２】
本発明において、更に、電解槽の上流側に形成された給水路と、下流側に形成された排水路と、を有し、電解槽が給水路と排水路よりも外側に突出する凹部を備え、この凹部に一組の電極が配置され、電極の下端部に対応する電極保持ユニットの管路の下端部近傍には、電極間への洗浄水の流入を規制する洗浄水流入規制手段が配置されていることが好ましい。
このように構成された本発明の銀電解水吐水装置においては、洗浄水流入規制手段により、電極間への洗浄水の流入が規制されるため、電極間を通過する洗浄水の流速をより一層小さくすることができ、水流の乱れを抑制することができる。また、電極で生成された銀イオンが分流路内の水中に含まれる塩素イオンと反応して塩化銀が生成されるのが抑制されて銀イオンの状態のまま維持されるため、電極における銀イオンの生成効率を向上させることができる。
【００１３】
本発明において、洗浄水流入規制手段は、電解槽内に電極保持ユニットの下方の所定位置から管路の下端部近傍の位置まで所定の厚みで形成された厚み部によって構成されていることが好ましい。
このように構成された本発明の銀電解水吐水装置においては、電解槽内に形成された洗浄水流入規制手段である厚み部により、電極間への洗浄水の流入が規制されるため、電極間を通過する洗浄水の流速をより一層小さくすることができ、水流の乱れを抑制することができる。また、電極で生成された銀イオンが分流路内の水中に含まれる塩素イオンと反応して塩化銀が生成されるのが抑制されて銀イオンの状態のまま維持されるため、電極における銀イオンの生成効率を向上させることができる。
【００１４】
本発明において、洗浄水流入規制手段は、電極保持ユニットの取付部から管路の下端部近傍まで突出する突出部によって構成されていてもよい。
このように構成された本発明の銀電解水吐水装置においては、洗浄水流入規制手段である突出部により、電極間への洗浄水の流入が規制されるため、電極間を通過する洗浄水の流速をより一層小さくすることができ、水流の乱れを抑制することができる。また、電極で生成された銀イオンが分流路内の水中に含まれる塩素イオンと反応して塩化銀が生成されるのが抑制されて銀イオンの状態のまま維持されるため、電極における銀イオンの生成効率を向上させることができる。
【００１５】
本発明において、給電手段は、電解槽に流入又は流出する洗浄水により発電する発電手段を含むことが好ましい。
このように構成された本発明の銀電解水吐水装置においては、電解槽の上流側又は下流側の水の水流を利用して発電した電力を電極に供給する電力として有効に活用することができる。
【発明の効果】
【００１６】
本発明の銀電解水吐水装置によれば、銀電解による銀イオンの生成効率を向上させ、銀電解に伴う消費電力を低減させることができる。また、電極の消耗に伴う電解槽からの電極の脱落と漏水を防ぐことができる。
【発明を実施するための最良の形態】
【００１７】
以下、添付図面を参照して本発明の銀電解水吐水装置の実施形態について説明する。
図１は、小便器洗浄装置に適用した本発明の第１実施形態による銀電解水吐水装置を示す概略正面図である。
図１に示すように、本実施形態の銀電解水吐水装置１は、その主要部である銀電解水吐水装置本体２と、この銀電解水吐水装置本体２の後述する各種関連装置（図示せず）の作動を制御する制御装置４を備えている。これらの銀電解水吐水装置本体２と制御装置４は、着脱可能なケーシング６に覆われている。
銀電解水吐水装置１では、その背面側にある給水源（図示せず）から銀電解水吐水装置本体２内に洗浄水が給水され、銀電解水吐水装置本体２内の所定の通水路（図示せず）を通過した洗浄水は、銀電解水吐水装置本体２とその下方にある水洗小便器８とを接続する洗浄水給水管１０を経て水洗小便器８内に流されるようになっている。
また、ケーシング６の下部の内側には、水洗小便器８又は銀電解水吐水装置１の正面側に立つ使用者の存在を赤外線等により検知するセンサー４ａが制御装置４の一部に組み込まれて配置されており、センサー４ａが検知した信号は制御装置４に送信されるように構成されている。
【００１８】
つぎに、上述した銀電解水吐水装置本体２について詳細に説明する。
図２は、銀電解水吐水装置本体を斜め前方から見た斜視図である。また、図３は、図２のIII−III断面図である。なお、図３において銀電解水吐水装置本体内に形成されている通水路内の洗浄水の流れを矢印で示す。
図２及び図３に示すように、銀電解水吐水装置本体２は、その背面側に設けられて給水源（図示せず）に接続される通水路入口部（図示せず）と、上述した洗浄水給水管１０（図１参照）の上端に接続される通水路出口部１２を備え、銀電解水吐水装置本体２の内部には、その通水路入口部（図示せず）から通水路出口部１２にかけて通水路１４が形成されている。
また、銀電解水吐水装置本体２内の通水路１４には、上流側から下流側の順に、各種関連装置である止水栓装置１６、電磁弁装置１８、定流量弁装置２０、発電装置２２、銀電解槽２４が配置されている。なお、図３に示す銀電解水吐水装置本体２の通水路１４については、発電装置２２及び銀電解槽２４が配置されている部分の通水路のみが示されており、電磁弁装置１８及び定流量弁装置２０が配置されている部分の通水路については、図３に示す通水路１４の背面側に形成されているため図示されていない。さらに、銀電解槽２４が配置されている部分の通水路１４は、後述する主流路２４ａと分流路２４ｂを含む。
【００１９】
さらに、図３に示すように、通水路１４には、発電装置２２と銀電解槽２４が互いに横方向に並置されている。
発電装置２２は、制御装置４や電極２８（２８ａ，２８ｂ）等に電力を供給する給電装置（図示せず）の一部として機能し、通水路１４を流れる洗浄水Ｗの水流によって回転する水車２６を含む。この水車２６は、磁場発生装置（図示せず）に接続されており、水車２６が回転すると、磁場発生装置（図示せず）から磁場が発生し、磁場発生装置（図示せず）のコイル（図示せず）に電流が流れて制御装置４を経由して銀電解槽２４内の詳細は後述する電極２８（２８ａ，２８ｂ）等に電力が供給されるようになっている。
【００２０】
銀電解槽２４の上方（上流側）に位置する通水路１４は、銀電解槽２４の給水路３０となり、銀電解槽２４の下方（下流側）に位置する通水路１４は、銀電解槽２４の排水路３２となっており、銀電解槽２４は、その側壁２４ｃがこれら給水路３０の側壁３０ａと排水路３２の側壁３２ａよりも外側に突出して凹部３４を形成している。この銀電解槽２４の凹部３４には、少なくとも陽極の電極が銀イオンを生成する銀電極である一組の平板状の電極２８（２８ａ，２８ｂ）が互いに水平方向に所定間隔を置いてほぼ平行に配置されている。
また、銀電解槽２４には、給水路３０から銀電解槽２４内に流入した洗浄水Ｗのうちのほとんどが主流Ｗ１として排水路３２へ流出される主流路２４ａと、この主流路２４ａを流れる洗浄水Ｗのうち、排水路３２へ流れる主流Ｗ１以外の洗浄水（水流Ｗ２）が凹部３４内に分流する分流路２４ｂの２つの流路が形成されている。分流路２４ｂに分流された洗浄水（水流Ｗ２）は、下方から上方に向かって両電極２８ａ，２８ｂ間を通過し、電極２８ａ又は電極２８ｂから電気分解された銀イオンを含む洗浄水（水流Ｗ２’）として主流路２４ａに戻るように流れるようになっている（図３参照）。
さらに、銀電解槽２４の凹部３４には、一組の電極２８ａ，２８ｂが互いにほぼ平行に配置されているが、両電極２８ａ，２８ｂは、詳細は後述する電極保持ユニット３６（図２参照）によって保持されている。この電極保持ユニット３６は、銀電解槽２４の正面側部分を形成する銀電解水吐水装置本体２の正面側壁面３８（図２参照）に手前方向に取り外し可能に取り付けられている。
【００２１】
つぎに、上述した一組の電極２８ａ，２８ｂ及びこれらを保持する電極保持ユニット３６について詳細に説明する。
図４は、本実施形態の銀電解水吐水装置の銀電解水吐水装置本体に取り付けられた状態の電極保持ユニットを斜め後方から見た斜視図である。また、図５は、図４に示す電極保持ユニットの平面図である。さらに、図６は、図４に示す電極保持ユニットの平面断面図である。また、図７は、図５のVII−VII断面図である。
図２〜図７、特に、図４〜図７に示すように、電極保持ユニット３６は、取付部４０、電極保持部４２、及び、塞ぎ部４４の３つの部分によって構成され、これらの各部分は、後述する射出成形機（図示せず）等を用いて、電極２８ａ，２８ｂをインサートした所定の金型にプラスチック材料を射出成形することにより互いに一体的に形成され、電極２８ａ，２８ｂが組み込まれた電極保持ユニット３６が形成される。なお、電極２８ａ，２８ｂが組み込まれた電極保持ユニット３６が形成されるまでの加工工程については後に詳細に説明する。
電極保持ユニット３６の取付部４０は、銀電解槽２４の正面側部分を形成する銀電解水吐水装置本体２の正面側壁面３８に取り付けられると共に電極２８ａ，２８ｂの各々の基端部４６ａ，４６ｂ（図６参照）を取り囲むように形成されている。この取付部４０は、より詳細には、電極保持ユニット３６に保持された電極２８ａ，２８ｂを銀電解槽２４内に挿入するために銀電解水吐水装置本体２の正面側壁面３８に形成されている電極挿入用開口部３８ａを密閉する蓋体４０ａを形成している。この蓋体４０ａは、電極保持ユニット３６が銀電解水吐水装置本体２に取り付けられた状態では、銀電解槽２４の内側に突出しており、開口部３８ａをシールするＯリング等のシール部材（図示せず）が取り付けられている。
【００２２】
また、図６に示すように、電極２８ａ，２８ｂの各々は、銀電解槽２４の凹部３４の分流路２４ｂ内に位置し且つ電極２８ａ，２８ｂの後端部である接水側先端部４８ａ，４８ｂと、銀電解槽２４の外側に位置し且つ給電装置（図示せず）又は電源（図示せず）に接続される接続端子であると共に電極２８ａ，２８ｂの前端部である端子側先端部４９ａ，４９ｂと、接水側先端部４８ａ，４８ｂ及び端子側先端部４９ａ，４９ｂの基端となり且つ上述した電極保持ユニット３６の取付部４０に取り囲まれた電極２８ａ，２８ｂの中間部である基端部４６ａ，４６ｂと、を備えている。
さらに、両電極２８ａ，２８ｂの各々は、各基端部４６ａ，４６ｂから各接水側先端部４８ａ，４８ｂまで互いに対向して延びる電極接水面５０ａ，５０ｂと、基端部４６ａ，４６ｂから端子側先端部４９ａ，４９ｂまで互いに対向して延びる電極端子面５１ａ，５１ｂを形成している（図６参照）。
また、電極２８ａ，２８ｂの各基端部４６ａ，４６ｂは、各電極接水面５０ａ，５０ｂの基端側の面を形成する接水側基端面５２ａ，５２ｂと、各電極端子面５１ａ，５１ｂの基端側の面を形成する端子側基端面５４ａ，５４ｂと、接水側基端面５２ａ，５２ｂと端子側基端面５４ａ，５４ｂとの間に形成され且つこれら両面に対して折り曲げられた折り曲げ面５６ａ，５６ｂと、を備えている。特に、両折り曲げ面５６ａ，５６ｂについては、対向する両端子側基端面５４ａ，５４ｂ（又は電極端子面５１ａ，５１ｂ）同士の間隔が、対向する両接水側基端面５２ａ，５２ｂ（又は電極接水面５０ａ，５０ｂ）同士の間隔よりも大きくなるように接水側基端面５２ａ，５２ｂから端子側基端面５４ａ，５４ｂにかけてクランク状に折り曲げられて形成され、接水側基端面５２ａ，５２ｂ及び端子側基端面５４ａ，５４ｂに対してほぼ直交する面となっている（図６参照）。
【００２３】
また、電極保持ユニット３６の電極保持部４２は、電極２８ａ，２８ｂの各々の電極接水面５０ａ，５０ｂを所定間隔を置いてほぼ平行に保持するように、取付部４０から銀電解槽２４の背面側へ突出しており、電極２８ａ，２８ｂの上下方向の幅よりも大きい幅で所定長さ延びて形成されている。
さらに、電極保持ユニット３６の塞ぎ部４４は、電極２８ａ，２８ｂの各々の接水側先端部４８ａ，４８ｂに対応する電極保持部４２の先端部４２ａ，４２ｂ同士の間隔を塞ぐように設けられ、電極保持部４２と共に鉛直方向に貫く通水可能な管路５８を形成している。なお、電極保持ユニット３６の電極保持部４２と塞ぎ部４４は、互いに別部材に構成されてもよいが、電極保持部４２の両先端部４２ａ，４２ｂと塞ぎ部４４の両端部を一体的に形成することにより、管路５８の内周面を繋ぎ目のない連続した面に形成するのが好ましい。
【００２４】
また、電極保持ユニット３６の電極保持部４２において、電極接水面５０ａ，５０ｂの裏面等、電極接水面５０ａ，５０ｂ以外の部分は電極保持部４２にすべて埋め込まれ、電極接水面５０ａ，５０ｂのみが露出して電極保持部４２に保持されている。すなわち、電極保持ユニット３６の電極保持部４２は、その電極２８ａ，２８ｂを保持している側の表面６０ａ，６０ｂが電極２８ａ，２８ｂの表面である電極接水面５０ａ，５０ｂと面一となるように構成されている（図６及び図７参照）。
さらに、銀電解槽２４内において、電極保持ユニット３６の電極保持部４２の下端部近傍には、電極２８ａ，２８ｂ間への洗浄水の流入を規制する洗浄水流入規制手段として、所定の厚みを有する厚み部６２が形成されている（図３参照）。この厚み部６２は、銀電解槽２４内の最下端面２４ｄに位置する排水路３２の入口部３２ｂ付近から電極保持部４２又は管路５８の下端部近傍の位置まで銀電解槽２４内の底面を一部底上げするように所定の厚みで形成されている。また、厚み部６２は、排水路３２の入口部３２ｂにおける電極保持ユニット３６の電極保持部４２のほぼ真下に相当する領域部分を一部塞ぐように銀電解槽２４の側壁２４ｃの下端から内方に突出するように形成されている。
【００２５】
つぎに、電極２８ａ，２８ｂが組み込まれた電極保持ユニット３６が形成されるまでの加工工程について説明する。
図８は、本実施形態の銀電解水吐水装置において、電極保持ユニットに組み込まれる前（電極保持ユニットを射出成形する前）の状態の一組の電極とこれらに挟持された状態の中子を示す。また、図９は、本実施形態の銀電解水吐水装置の一組の電極に挟持される前の状態の中子を示す。なお、図８に示す電極おいて、図２〜図７に示す電極と同一の部分については同一の符号を付し、それらの説明は省略する。
図８及び図９に示すように、電極位置決め用の中子６４は、電極保持ユニット３６が形成された加工後の状態では取付部４０の内部に一体的に組み込まれたものであるが、加工前の状態では、両電極２８ａ，２８ｂの基端部４６ａ，４６ｂ同士の間に挟持されている（図８参照）。
【００２６】
また、この両電極２８ａ，２８ｂに挟持される中子６４は、その電極２８ａ，２８ｂの接水側基端面５２ａ，５２ｂの各々と対応する左側面６６ａと右側面６６ｂ、及び、電極２８ａ，２８ｂの端子側基端面５４ａ，５４ｂの各々と対応する左側面６８ａと右側面６８ｂが互いにほぼ平行になり左右対称に形成されている。また、各側面６６ａ，６６ｂ，６８ａ，６８ｂには、その法線方向外側にほぼ円柱状に突出する突起７０ａ，７０ｂ，７２ａ，７２ｂが形成されている。なお、突起７０ｂ，７２ｂについては、図８及び図９には図示されていないが、後に説明する図１１に示されている。
さらに、両電極２８ａ，２８ｂの接水側基端面５２ａ，５２ｂ及び端子側基端面５４ａ，５４ｂの各々には、中子６４の突起７０ａ，７０ｂ，７２ａ，７２ｂのそれぞれに対応して係合可能な位置決め孔７４ａ，７４ｂ，７６ａ，７６ｂが形成されている（図６〜図８参照）。
両電極２８ａ，２８ｂは、各位置決め孔７４ａ，７４ｂ，７６ａ，７６ｂを対応する中子６４の各突起７０ａ，７０ｂ，７２ａ，７２ｂに嵌め込むことによって中子６４に固定され、両電極２８ａ，２８ｂの相対位置が正確に位置決めされて互いの電極接水面５０ａ，５０ｂ同士が正確に平行な状態で対向するようになっている。
【００２７】
図１０は、本実施形態の銀電解水吐水装置の電極保持ユニットを形成するため成形機を示す概略斜視図である。また、図１１は、図１０に示す成形機を用いて射出成形を行った後に型抜きした成形品を示す平面図である。なお、図１０及び図１１において、図２〜図９と同一の部分については同一の符号を付し、それらの説明は省略する。
図８〜図１１に示すように、電極保持ユニット３６の加工前の準備工程として、中子６４の各側面６６ａ，６６ｂ，６８ａ，６８ｂに形成された突起７０ａ，７０ｂ，７２ａ，７２ｂに電極２８ａ，２８ｂの各位置決め孔７４ａ，７４ｂ，７６ａ，７６ｂを係合させて、中子６４と両電極２８ａ，２８ｂを固定して三者の相対位置を位置決めする。このように位置決めされた状態の電極２８ａ，２８ｂ同士は、電極接水面５０ａ，５０ｂ同士及び電極端子面５１ａ，５１ｂ同士が互いに平行になるように中子６４の両側面６６ａ，６６ｂ，６８ａ，６８ｂを挟持した状態となっている（図８及び図９参照）。
つぎに、中子６４に位置決めした状態の電極２８ａ，２８ｂは、射出成形機７８の金型８０，８２，８４の一部にインサートされて取り付けられた後、プラスチック材料を用いた射出成形が行われる。
図１０に示すように、射出成形機７８は、固定側の金型である下部金型８０及び側部金型８２と、可動側の金型である上部金型８４を備えている。ここで、図１０に示す上部金型８４については、下部金型８０の上面が見えるように、上部金型８４を一部省略している。
【００２８】
下部金型８０の上面及び上部金型８４の下面の各々には、電極保持ユニット３６の電極保持部４２及び塞ぎ部４４の所定形状に形成された電極保持ユニット成形用金型キャビティ８６と、中子６４の所定形状に形成された中子成形用金型キャビティ８８が形成されている。さらに、下部金型８０の上面及び上部金型８４の下面の各々には、各金型キャビティ８６，８８の流入口を形成するゲート９０，９２、射出成形用の材料（プラスチック材料）を注入する注入口を形成する垂直溝であるスプルー９４、各ゲート９０，９２とスプルー９４とを結ぶ溝であるランナー９６を含む種々の溝が形成されている。
また、側部金型８２の正面と、これと対向する下部金型８０及び上部金型８４の背面の各々には、電極保持ユニット３６の取付部４０の所定形状に形成された電極保持ユニット成形用金型キャビティ９８が形成されている。
中子６４に固定された状態の電極２８ａ，２８ｂは、上部金型８４を取り付ける前の状態の下部金型８０の電極保持ユニット成形用金型キャビティ８６及び側部金型８２の電極保持ユニット成形用金型キャビティ９８の各々の所定位置に配置（インサート）される。その後、上部金型８４が可動されて下部金型８０と側部金型８２の各々に密着して取り付けられた状態で、射出成形が開始される。この射出成形では、下部金型８０及び上部金型８４のスプルー９４からプラスチック材料等の射出成形用材料が注入され、ランナー９６及びゲート９０，９２の各々を経て、各金型キャビティ８６，８８，９８に材料が流入する。最後に各金型８０，８２，８４から成形品の型抜きを行うと、図１１に示すような一組の成形品１００が得られる。なお、射出成形前に両電極２８ａ，２８ｂによって挟持されていた状態の中子６４は、射出成形後、成形品１００における電極保持ユニット３６の取付部４０の内部に一体形成されている。
さらに、成形品１００について、電極保持ユニット３６及び中子６４以外の不要部分１０２の切り離しを行う等、各種の仕上げ工程を行い、最終製品としての電極保持ユニット３６及び中子６４が得られる。一組の成形品１００のうちの中子６４は、別の新たな電極保持ユニット３６を成形する際にその電極２８ａ，２８ｂの新たな位置決めに用いられる。
【００２９】
つぎに、上述した本発明の第１実施形態による銀電解水吐水装置１の動作（作用）について説明する。
使用者が水洗小便器８を使用する際、銀電解水吐水装置１の正面側に立つと、制御装置４のセンサー４ａがこの使用者の存在を検知し、また、その使用者が立ち去ったことを検知した信号が制御装置４に送信される。そして、制御装置４がセンサー４ａからの信号に基づき、電磁弁装置１８を作動させ、給水源（図示せず）からの洗浄水Ｗが銀電解水吐水装置本体２の通水路入口部（図示せず）から内部に流入する。
銀電解水吐水装置本体２の内部に流入した洗浄水Ｗは、止水栓装置１６、電磁弁装置１８を経て定流量弁装置２０まで形成されている通水路（図示せず）を流れて所定の流量に調整され、通水路１４の発電装置２６を通過し、銀電解槽２４の上流側に位置する給水路３０を経て銀電解槽２４の主流路２４ａを流れる（図３参照）。同時に、洗浄水Ｗの水流により、発電装置２２の水車２６が回転して発電が行われ、この発電によって得られた電力は、制御装置４や電極２８（２８ａ，２８ｂ）等に電力を供給する給電装置（図示せず）に供給される。
【００３０】
また、銀電解槽２４内の主流路２４ａを通過した洗浄水Ｗは、そのほとんどが流速の大きい主流Ｗ１として上方から下方へ流れて排水路３２へ流出し、主流路２４ａの下流側で主流Ｗ１から分流した流速の極めて小さい水流Ｗ２が、一組の電極２８ａ，２８ｂの互いに平行な電極接水面５０ａ，５０ｂを含む電極保持ユニット３６の管路５８の中を水流Ｗ１の方向と逆方向（下方から上方）に向かって流れる。
また、銀電解槽２４の一組の電極２８ａ，２８ｂの電極端子面５１ａ，５１ｂには、給電装置（図示せず）から所定の電流が供給されており、管路５８内を通過する洗浄水（水流Ｗ２）には、陽極側の電極接水面５０ａ又は５０ｂから銀イオンＡｇ+が放出（溶出）され、この銀イオンＡｇ+を含む水流Ｗ２’が、分流路２４ｂの下流側である電極保持ユニット３６の管路５８の上方において再び主流路２４ａの水流Ｗ１に合流する。また、水流Ｗ１に合流した水流Ｗ２’は、銀イオンＡｇ+を含む洗浄水（水流（Ｗ１＋Ｗ２’））となって排水路３２へ流れ、洗浄水給水管１０を経て水洗小便器８に供給される。
【００３１】
上述した本発明の第１実施形態による銀電解水吐水装置１によれば、両電極２８ａ，２８ｂは、その基端部４６ａ，４６ｂから接水側先端部４８ａ，４８ｂまで互いに対向して延びる電極接水面５０ａ，５０ｂが電極保持ユニット３６の電極保持部４２によって平行に保持されており、また、電極保持ユニット３６の電極保持部４２と塞ぎ部４４によって管路５８が形成されているため、管路５８内の電極接水面５０ａ，５０ｂ間を通過する水流Ｗ２，Ｗ２’は、管路５８の外側の水流の影響を受けにくくなり、水流の乱れを抑制することができる。これらの結果、電極２８ａ又は２８ｂで生成された銀イオンＡｇ+が管路５８内の水中に含まれる塩素イオンＣｌ-と反応して塩化銀ＡｇＣｌが生成されるのが抑制され、銀イオンＡｇ+の状態のまま維持されるため、電極２８ａ，２８ｂにおける銀イオンＡｇ+の生成効率を向上させることができる。さらに、管路５８によって分流路２４ｂが仕切られているため、管路５８内の電極２８ａ，２８ｂ間を通過する流量が抑えられ、所定量の銀イオンＡｇ+を得るのに電極２８ａ，２８ｂの消費電力も抑制されると共に電極２８ａ，２８ｂの消耗も抑えることができる。
【００３２】
また、本実施形態の銀電解水吐水装置１によれば、電極保持ユニット３６の電極保持部４２の両先端部４２ａ，４２ｂと塞ぎ部４４の両端部が一体的に形成されており、管路５８の内面を繋ぎ目のない連続した面に形成することができるため、管路５８内を通過する水流Ｗ２，Ｗ２’の乱れを抑制することができる。したがって、電極２８ａ又は２８ｂで生成された銀イオンＡｇ+が分流路２４ｂ内の水中に含まれる塩素イオンＣｌ-と反応して塩化銀ＡｇＣｌが生成されるのが抑制され、銀イオンＡｇ+の状態のまま維持されるため、電極２８ａ，２８ｂにおける銀イオンＡｇ+の生成効率を向上させることができる。さらに、所定量の銀イオンＡｇ+を得るのに、電極２８ａ，２８ｂの消費電力が抑制されるため、電極２８ａ，２８ｂの消耗を抑えることができる。
【００３３】
さらに、本実施形態の銀電解水吐水装置１によれば、電極保持ユニット３６の電極保持部４２の電極２８ａ，２８ｂを保持している側の表面６０ａ，６０ｂが電極２８ａ，２８ｂの表面である電極接水面５０ａ，５０ｂと面一となるように構成されているため、管路５８内の水が電極接水面５０ａ，５０ｂの間を通過する際、電極保持ユニット３６の電極保持部４２の表面６０ａ，６０ｂが助走区間として作用するため、管路５８内の水は、一般的に主流路２４ａ内の水流に比べて流速が極めて小さくかつ乱れの極めて少ない流れの状態で電極接水面５０ａ，５０ｂの間を通過する。また、電極接水面５０ａ，５０ｂの間には境界層、すなわち、物体表面近くの領域であり、流速が小さく、層流域のように乱れの少ない流れの領域が形成される。この境界層により、電極２８ａ又は２８ｂで生成された銀イオンＡｇ+が管路５８内の水中に含まれる塩素イオンＣｌ-と反応して塩化銀ＡｇＣｌが生成されるのが抑制され、銀イオンＡｇ+の状態のまま維持されるため、電極２８ａ又は２８ｂにおける銀イオンＡｇ+の生成効率を向上させることができる。さらに、所定量の銀イオンＡｇ+を得るのに、電極２８ａ，２８ｂの消費電力が抑制されるため、電極２８ａ，２８ｂの消耗を抑えることができる。
【００３４】
また、本実施形態の銀電解水吐水装置１によれば、電極２８ａ，２８ｂの基端部４６ａ，４６ｂの各々の折り曲げ面５６ａ，５６ｂが、電極２８ａ，２８ｂの基端部４６ａ，４６ｂの各々の接水側基端面５０ａ，５０ｂと端子側基端面５１ａ，５１ｂに対して折り曲げられている。また、これらの折り曲げ面５６ａ，５６ｂは、対向する両端子側基端面５４ａ，５４ｂ（又は電極端子面５１ａ，５１ｂ）同士の間隔が、対向する両接水側基端面５２ａ，５２ｂ（又は電極接水面５０ａ，５０ｂ）同士の間隔よりも大きくなるように接水側基端面５２ａ，５２ｂから端子側基端面５４ａ，５４ｂにかけてクランク状に折り曲げられて形成され、接水側基端面５２ａ，５２ｂ及び端子側基端面５４ａ，５４ｂに対してほぼ直交する面となっている（図６参照）。したがって、電極２８ａ，２８ｂの接水側基端面５２ａ，５２ｂが電気分解と共に消耗して接水側先端部４８ａ，４８ｂから基端部４６ａ，４６ｂの接水側基端面５２ａ，５２ｂまで溶出が進んだとしても、両電極２８ａ，２８ｂの折り曲げ面５６ａ，５６ｂと端子側基端面５４ａ，５４ｂが電極保持ユニット３６の取付部４０の内部に保持された状態になるため、電極保持ユニット３６の取付部４０から簡単に電極２８ａ，２８ｂが抜け落ちてしまうのを防ぐことができる。また、電極保持ユニット３６の取付部４０における電極２８ａ，２８ｂが抜け落ちた隙間から銀電解槽２４内の水が外部へ漏水するのを防ぐことができる。
【００３５】
さらに、本実施形態の銀電解水吐水装置１によれば、電極２８ａ，２８ｂの基端部４６ａ，４６ｂの折り曲げ面５６ａ，５６ｂにより、両端子側基端面５４ａ，５４ｂ（又は電極端子面５１ａ，５１ｂ）同士の間隔を大きく設定することができるため、電極２８ａ，２８ｂの端子側における端子接続の作業性を確保することができる。また、折り曲げ面５６ａ，５６ｂにより、両接水側基端面５２ａ，５２ｂ（又は電極接水面５０ａ，５０ｂ）同士の間隔を小さく設定することができるため、電極２８ａ，２８ｂ間を通過する洗浄水の流量が少なくなり、電極接水面５０ａ，５０ｂの間を通過する水流の乱れを抑制して銀イオンＡｇ+の溶出濃度を安定化させることができる。さらに、電極２８ａ，２８ｂの消費電力が抑制され、銀イオンＡｇ+の生成効率を向上させることができる。
【００３６】
また、本実施形態の銀電解水吐水装置１によれば、電極保持ユニット３６の加工前の準備工程として、中子６４の各側面６６ａ，６６ｂ，６８ａ，６８ｂに形成された突起７０ａ，７０ｂ，７２ａ，７２ｂに電極２８ａ，２８ｂの各位置決め孔７４ａ，７４ｂ，７６ａ，７６ｂを係合させることによって、中子６４と両電極２８ａ，２８ｂを固定して両者の相対位置を正確に位置決めすることができ、電極保持ユニット３６の電極保持部４２によって保持される電極接水面５０ａ，５０ｂを互いに平行に配置することができるため、電極保持ユニット３６の管路５８の電極接水面５０ａ，５０ｂの間を通過する水流の乱れを抑制して銀イオンＡｇ+の溶出濃度を安定化させることができる。したがって、電極２８ａ又は２８ｂで生成された銀イオンＡｇ+が管路５８内の水中に含まれる塩素イオンＣｌ-と反応して塩化銀ＡｇＣｌが生成されるのが抑制され、銀イオンＡｇ+の状態のまま維持されるため、電極２８ａ，２８ｂにおける銀イオンＡｇ+の生成効率を向上させることができる。さらに、所定量の銀イオンＡｇ+を得るのに、電極２８ａ，２８ｂの消費電力が抑制されるため、電極２８ａ，２８ｂの消耗を抑えることができる。
【００３７】
さらに、本実施形態の銀電解水吐水装置１によれば、銀電解槽２４内の最下端面２４ｄに位置する排水路３２の入口部３２ｂ付近から電極保持部４２の下端部近傍の位置まで銀電解槽２４内の底面を一部底上げするように所定の厚みで形成された厚み部６２（図３参照）により、銀電解槽２４の主流路２４ａを流れる洗浄水（水流Ｗ１）が分流路２４ｂへ分流して電極保持ユニット３６の管路５８内の電極２８ａ，２８ｂ間に流入するのが規制されるため、電極２８ａ，２８ｂ間を通過する洗浄水Ｗ２，Ｗ２’の流速をより一層小さくすることができ、管路５８内の水流の乱れを抑制して銀イオンＡｇ+の溶出濃度を安定化させることができる。また、電極２８ａ又は２８ｂで生成された銀イオンＡｇ+が分流路２４ｂ内の水中に含まれる塩素イオンＣｌ-と反応して塩化銀ＡｇＣｌが生成されるのが抑制され、銀イオンＡｇ+の状態のまま維持されるため、電極２８ａ，２８ｂにおける銀イオンＡｇ+の生成効率を向上させることができる。さらに、所定量の銀イオンＡｇ+を得るのに、電極２８ａ，２８ｂの消費電力が抑制されるため、電極２８ａ，２８ｂの消耗を抑えることができる。
【００３８】
また、本実施形態の銀電解水吐水装置１によれば、銀電解槽２４の上流側の通水路１４に発電装置２２が配置されているため、銀電解槽２４に流入する前の洗浄水Ｗの水流を利用して発電することができ、この発電した電力を電極２８ａ，２８ｂに供給する電力として有効に活用することができる。
【００３９】
なお、上述した本実施形態の銀電解水吐水装置１においては、一例として、発電装置２２を銀電解槽２４の上流側の通水路１４に配置することにより、発電装置２２が銀電解槽２４に流入する前の洗浄水の水流を利用して発電するような形態について説明したが、このような形態に限定されず、発電装置２２を銀電解槽２４の下流側の通水路１４に配置することにより、発電装置２２が銀電解槽２４から流出した後の洗浄水の水流を利用して発電するような形態についても適用可能である。
【００４０】
図１２は、本発明の第２実施形態による銀電解水吐水装置の電極保持ユニットを示す斜め後方から見た、図４と同様な斜視図である。なお、図１２において、図４に示す第１実施形態の銀電解水吐水装置の電極保持ユニットの部分と同一の部分については、同一の符号を付し、それらの説明は省略する。
図１２に示すように、本発明の第２実施形態による銀電解水吐水装置の電極保持ユニット１１０は、第１実施形態の銀電解水吐水装置１の電極保持ユニット３６における取付部４０、電極保持部４２及び塞ぎ部４４と同様な取付部１１２、電極保持部１１４及び塞ぎ部１１６を備えている点で、第１実施形態の銀電解水吐水装置１の電極保持ユニット３６の構成と共通している。
一方、本発明の第２実施形態による銀電解水吐水装置は、第１実施形態の銀電解水吐水装置１の銀電解槽２４においてその最下端面２４ｄに位置する排水路３２の入口部３２ｂ付近から電極保持部４２の下端部近傍の位置まで銀電解槽２４内の底面を一部底上げするように所定の厚みで形成された厚み部６２に代わる洗浄水流入規制手段として、電極保持ユニット１１０がその電極保持部１１４と塞ぎ部１１６によって形成される管路１１８の下端部近傍を遮るように形成された遮蔽体１２０を備えている点で、第１実施形態の電極保持ユニット３６の構成と異なっている。すなわち、電極保持ユニット１１０の遮蔽体１２０は、取付部１１２の後端面下部の所定位置から管路１１８の下端部近傍まで後方に突出して延びており、電極保持ユニット１１０の電極保持部１１４と塞ぎ部１１６の下端部（管路１１８の下端部）と遮蔽体１２０の上端面との間にわずかな隙間が形成されている。
【００４１】
上述した本発明の第２実施形態の銀電解水吐水装置によれば、電極保持ユニット１１０の洗浄水流入規制手段である遮蔽体１２０により、管路１１８及び電極２８ａ，２８ｂ間への洗浄水の流入が規制されるため、管路１１８及び電極２８ａ，２８ｂ間を通過する洗浄水（水流Ｗ２，Ｗ２’）の流速をより一層小さくすることができ、水流の乱れを抑制することができる。また、電極２８ａ又は２８ｂで生成された銀イオンＡｇ+が管路１１８内の水中に含まれる塩素イオンＣｌ-と反応して塩化銀ＡｇＣｌが生成されるのが抑制されて銀イオンＡｇ+の状態のまま維持されるため、電極２８ａ又は２８ｂにおける銀イオンＡｇ+の生成効率を向上させることができる。さらに、所定量の銀イオンＡｇ+を得るのに、電極２８ａ，２８ｂの消費電力が抑制されるため、電極２８ａ，２８ｂの消耗を抑えることができる。
【図面の簡単な説明】
【００４２】
【図１】小便器洗浄装置に適用した本発明の第１実施形態による銀電解水吐水装置を示す概略正面図である。
【図２】本発明の第１実施形態による銀電解水吐水装置の銀電解水吐水装置本体を斜め前方から見た斜視図である。
【図３】図２のIII−III断面図である。
【図４】本発明の第１実施形態による銀電解水吐水装置の銀電解水吐水装置本体に取り付けられた状態の電極保持ユニットを斜め後方から見た斜視図である。
【図５】図４に示す電極保持ユニットの平面図である。
【図６】図４に示す電極保持ユニットの平面断面図である。
【図７】図５のVII−VII断面図である。
【図８】本発明の第１実施形態による銀電解水吐水装置において、電極保持ユニットに組み込まれる前（電極保持ユニットを加工する前）の状態の一組の電極とこれらに挟持された状態の中子を示す。
【図９】本発明の第１実施形態による銀電解水吐水装置の一組の電極に挟持される前の状態の中子を示す。
【図１０】本発明の第１実施形態よる銀電解水吐水装置の電極保持ユニットを形成するため成形機を示す概略斜視図である。
【図１１】図１０に示す成形機を用いて射出成形を行った後に型抜きした成形品を示す平面図である。
【図１２】本発明の第２実施形態による銀電解水吐水装置の電極保持ユニットを示す斜め後方から見た、図４と同様な斜視図である。
【符号の説明】
【００４３】
１  銀電解水吐水装置
２  銀電解水吐水装置本体
４  制御装置
４ａ  センサー
６  ケーシング
８  水洗小便器
１０  洗浄水給水管
１２  通水路出口部
１４  通水路
１６  止水栓装置
１８  電磁弁装置
２０  定流量弁装置
２２  発電装置
２４  銀電解槽
２６  水車
２８，２８ａ，２８ｂ  電極
３０  給水路  
３０ａ  給水路の側壁
３２  排水路
３２ａ  排水路の側壁
３４  銀電解槽の凹部
３６，１１０  電極保持ユニット
３８  銀電解水吐水装置本体の正面側壁面
３８ａ  電極挿入用開口部
４０，１１２  電極保持ユニットの取付部
４２，１１４  電極保持ユニットの電極保持部
４４，１１６  電極保持ユニットの塞ぎ部
４６ａ，４６ｂ  電極の基端部
４８ａ，４８ｂ  電極の接水側先端部
４９ａ，４９ｂ  電極の端子側先端部
５０ａ，５０ｂ  電極の電極接水面
５１ａ，５１ｂ  電極の電極端子面
５２ａ，５２ｂ  電極の基端部の接水側基端面
５４ａ，５４ｂ  電極の基端部の端子側基端面
５６ａ，５６ｂ  電極の基端部の折り曲げ面
５８，１１８  管路
６０ａ，６０ｂ  電極保持ユニットの電極保持部の表面
６２  厚み部
６４  中子
６６ａ，６６ｂ，６８ａ，６８ｂ  中子の側面
７０ａ，７０ｂ，７２ａ，７２ｂ  中子の突起
７４ａ，７４ｂ，７６ａ，７６ｂ  電極の位置決め孔
７８  射出成形機
８０  下部金型
８２  側部金型
８４  上部金型
８６  電極保持ユニット成形用金型キャビティ
８８  中子成形用金型キャビティ
９０，９２  ゲート
９４  スプルー
９６  ランナー
９８  電極保持ユニット成形用金型キャビティ
１００  成形品
１０２  成形品の不要部分
１２０  遮蔽体
【図１】
2007160201.tif 000003
【図２】
2007160201.tif 000004
【図３】
2007160201.tif 000005
【図４】
2007160201.tif 000006
【図５】
2007160201.tif 000007
【図６】
2007160201.tif 000008
【図７】
2007160201.tif 000009
【図８】
2007160201.tif 000010
【図９】
2007160201.tif 000011
【図１０】
2007160201.tif 000012
【図１１】
2007160201.tif 000013
【図１２】
2007160201.tif 000014